(57)【要約】【課題】  多数の受験者を対象に繰り返し実施される評価試験に使用されるような試験問題について、自動的に、試験問題を定期的に適切かつ効率的に見直し更新するような試験システムを提供する。【解決手段】  クライアント／サーバ型の試験システムにおいて、過去の試験結果から一部の正答率の高い問題を正答率の低いカテゴリの問題に定期的に入れ替えるようにして、繰り返し使用される試験問題の見直しを適切かつ効率的に実現する。問題の入れ替えは、設問ごとに正答率の低い問題および高い問題を選定し、前記正答率の低い問題と同じカテゴリに属する新たな問題を更新問題ＤＢから抽出して、前記正答率の高い問題と入れ替えることにより行う。【選択図】図８
2005221895.tif 000002
【特許請求の範囲】
【請求項１】
試験システム用コンピュータで試験問題に対する回答の正解率に基づいて前記試験問題を変更する試験システムであって、試験問題を格納した問題格納ファイルと、過去の試験における問題ごとの正解・不正解を格納した試験結果ファイルと、問題カテゴリごとに複数の更新用問題を格納した更新問題ファイルと、前記試験結果ファイルを参照して正解率の高い問題を選定し、前記更新問題ファイルから新たな問題を抽出して前記正解率の高い問題と入れ替えて試験問題を更新し、前記問題格納ファイルに更新済み試験問題として格納する問題更新手段とを備えることを特徴とする試験システム。
【請求項２】
請求項１に記載の試験システムにおいて、前記問題更新手段による問題の入れ替えは、前記試験結果ファイルを参照して正解率の低い問題を選定し、当該正解率の低い問題と同じカテゴリに属する新たな問題を前記更新問題ファイルから抽出して前記正解率の高い問題と入れ替えることを特徴とする試験システム。
【請求項３】
請求項２に記載の試験システムにおいて、前記試験問題が設問ごとに複数の問題を有する１以上の設問で構成されており、前記問題更新手段による問題の入れ替えは、設問ごとに、前記試験結果ファイルを参照して正解率の低い問題と高い問題を選定し、当該正解率の低い問題と同じカテゴリの新たな問題を前記更新問題ファイルから抽出し、前記正解率の高い問題と入れ替えることを特徴とする試験システム。
【請求項４】
請求項１ないし３のいずれかに記載の試験システムにおいて、前記試験システム用コンピュータが通信ネットワークを介して受験者の操作する端末装置と接続されており、当該コンピュータが、前記問題格納ファイルから試験問題を抽出して前記端末装置に送信し、当該端末装置に入力された回答の正解・不正解を判定して前記試験結果ファイルを更新することを特徴とする試験システム。
【請求項５】
請求項１乃至４のいずれかに記載の試験システムにおいて、前記試験システム用コンピュータが、前記試験結果ファイルを参照して前記試験問題の正解・不正解の集計データを作成することを特徴とする試験システム。
【請求項６】
試験問題に対する回答の正解率に基づいて前記試験問題を自動更新するコンピュータプログラムであって、試験システム用コンピュータに、過去の試験における問題ごとの正解・不正解を格納した試験結果ファイルから正解率の低い問題を選定するステップと、ここで選定した正解率の高い問題と同じ設問における正解率の高い問題を選定するステップと、問題カテゴリごとに複数の更新用問題を格納した更新問題ファイルから前記選定した正解率の低い設問と同じカテゴリに属する新たな問題を抽出するステップと、ここで抽出した新たな問題を前記選定した正解率の高い問題に置換して前記試験問題を更新するステップと、更新した試験問題を新たに保存するステップと、を実行させることを特徴とする試験問題更新プログラム。
【請求項７】
請求項６に記載の試験問題更新プログラムがさらに、前記試験システム用コンピュータに、当該試験システム用コンピュータに接続された端末装置から送信される前記試験問題の解答の正解・不正解を判定するステップと、この判定結果に基づいて前記試験結果ファイルを更新するステップと、を実行させることを特徴とする試験問題更新プログラム。
【請求項８】
試験システム用コンピュータを用いて試験問題に対する回答の正解率に基づき前記試験問題を更新する方法であって、
前記コンピュータが、過去の試験における問題ごとの正解・不正解を格納した試験結果ファイルから正解率の低い問題を選定するステップと、
前記コンピュータが、前記選定した正解率の低い問題と同じ設問における正解率の高い問題を選定するステップと、
前記コンピュータが、問題カテゴリごとに複数の更新用問題を格納した更新問題ファイルから前記選定した正解率の低い設問と同じカテゴリに属する新たな問題を抽出するステップと、
前記コンピュータが、前記抽出した新たな問題を前記選定した正解率の高い問題に置換して前記試験問題を更新し保存するステップと、を含むことを特徴とする試験問題の更新方法。
【発明の詳細な説明】
【技術分野】
【０００１】
本発明は、試験システムおよび当該システムで用いられる方法とプログラムに関し、特に、多数の受験者を対象に繰り返し実施される試験において、受験者全体の回答結果に応じて試験問題を自動的に更新する試験システム、方法、およびプログラムに関する。
【背景技術】
【０００２】
この種の従来技術として、教育システム用コンピュータにて過去の回答結果から特に不正解の問題を抽出し、その問題の内容分析結果から回答者に欠けている知識を含む問題をファイルから選定して利用者の端末装置に提供することにより、当該利用者の弱点となっている知識を含む基礎問題から順次高度な問題を集中的に提供する教育システムがある（例えば、特許文献１）。
【０００３】
また、教材利用者が回答した設問ごとの正誤に基づき、単元ごとの正解数を自動的に集計してその個人の習熟度を計算し、習熟度別学習教材を抽出して提供することにより個人ごとの習熟度に合わせた教材の編成を可能とする個別学習管理システムが提案されている（例えば、特許文献２）。
【０００４】
また、教科別、項目別、達成度別に分類された教材を記憶する教材ＤＢを具え、対象とする学習者の達成度および学習履歴を含む参照情報から、当該学習者の達成度に応じた教材を提供する教育システムが提案されている（例えば、特許文献３）。
【０００５】
しかしながら、上記特許文献のシステムはいずれも利用者個人の習熟度や学習履歴に基づいて各人に最適な教材を編成するものであり、例えば社内的に多数の人間を対象に同種の試験問題で繰り返し実施される評価試験について、試験問題を定期的に適切かつ効率的に見直し更新するという目的に適用することができない。この種の評価試験は多数の受験者に対し繰り返し行われるため定期的に更新する必要があり、またある程度の難易度を保つ必要がある。このためには個人個人の習熟度に合わせて問題を決定するのではなく、多数の受験者の正答率に基づいた適切な問題の選定が必要となる。
【０００６】
通常、上記の評価試験のような問題の更新においては、過去の回答結果実績から個々の問題の内容の正当性／妥当性を分析し、試験問題の内容を見直して問題を適宜変更するという作業を人的に行っている。定期的に繰り返し行われるような試験ではこの作業をその都度行わなければならず、膨大な人的工数が必要であり、この人的資源や時間の確保が困難な場合は定期的な試験問題の見直しが実施できないという問題がある。
【特許文献１】特開平６−７５５１８号公報
【特許文献２】特開２００２−９１２８４号公報
【特許文献３】特開２００２−１０８１９０号公報
【発明の開示】
【発明が解決しようとする課題】
【０００７】
本願発明が解決しようとする課題は、定期的に繰り返し行われる評価試験のような試験に使用する問題の見直しに大変な面倒と手間がかかることと、問題ごとの妥当性といった価値判断を導入して試験問題を自動的に更新するシステムが存在しないことにある。
【０００８】
そこで本発明は、多数の受験者を対象に繰り返し実施される評価試験に使用されるような試験問題について、自動的に、試験問題を定期的に適切かつ効率的に見直し更新するような試験システムを提供することを目的とする。
【課題を解決するための手段】
【０００９】
本発明は、クライアント／サーバ型の試験システムにおいて、過去の試験結果から一部の正答率の高い問題を正答率の低いカテゴリの問題に定期的に入れ替えるようにして、繰り返し使用される試験問題の見直しを適切かつ効率的に実現することを最も主要な特徴とする。
【００１０】
具体的には、本発明に係る試験システムは、試験システム用コンピュータで試験問題に対する回答の正解率に基づいて前記試験問題を変更する試験システムであって、試験問題を格納した問題格納ファイルと、過去の試験における問題ごとの正解・不正解を格納した試験結果ファイルと、問題カテゴリごとに複数の更新用問題を格納した更新問題ファイルと、前記試験結果ファイルを参照して正解率の高い問題を選定し、前記更新問題ファイルから新たな問題を抽出して前記正解率の高い問題と入れ替えて試験問題を更新し、前記問題格納ファイルに更新済み試験問題として格納する問題更新手段とを備えることを特徴とする。
【００１１】
この試験システムにおいて、前記問題更新手段による問題の入れ替えは、前記試験結果ファイルを参照して正解率の低い問題を選定し、当該正解率の低い問題と同じカテゴリに属する新たな問題を前記更新問題ファイルから抽出して前記正解率の高い問題と入れ替えることが有効である。
【００１２】
好適な実施例では、前記試験問題が設問ごとに複数の問題を有する１以上の設問で構成されており、前記問題更新手段による問題の入れ替えは、設問ごとに、前記試験結果ファイルを参照して正解率の低い問題と高い問題を選定し、当該正解率の低い問題と同じカテゴリの新たな問題を前記更新問題ファイルから抽出し、前記正解率の高い問題と入れ替えることが有効である。
【００１３】
また、前記試験システム用コンピュータが通信ネットワークを介して受験者の操作する端末装置と接続されており、当該コンピュータが、前記問題格納ファイルから試験問題を抽出して前記端末装置に送信し、当該端末装置に入力された回答の正解・不正解を判定して前記試験結果ファイルを更新することが有効である。
【００１４】
また、前記試験システム用コンピュータが、前記試験結果ファイルを参照して前記試験問題の正解・不正解の集計データを作成することが有効である。
【００１５】
本発明に係るコンピュータプログラムは、試験問題に対する回答の正解率に基づいて前記試験問題を自動更新するコンピュータプログラムであって、試験システム用コンピュータに、過去の試験における問題ごとの正解・不正解を格納した試験結果ファイルから正解率の低い問題を選定するステップと、ここで選定した正解率の高い問題と同じ設問における正解率の高い問題を選定するステップと、問題カテゴリごとに複数の更新用問題を格納した更新問題ファイルから前記選定した正解率の低い設問と同じカテゴリに属する新たな問題を抽出するステップと、ここで抽出した新たな問題を前記選定した正解率の高い問題に置換して前記試験問題を更新するステップと、更新した試験問題を新たに保存するステップと、を実行させることを特徴とする。
【００１６】
このプログラムはさらに、前記試験システム用コンピュータに、当該試験システム用コンピュータに接続された端末装置から送信される前記試験問題の解答の正解・不正解を判定するステップと、この判定結果に基づいて前記試験結果ファイルを更新するステップと、を実行させることが有効である。
【００１７】
本発明にかかる試験問題の自動更新方法は、試験システム用コンピュータを用いて試験問題に対する回答の正解率に基づき前記試験問題を更新する方法であって、
前記コンピュータが、過去の試験における問題ごとの正解・不正解を格納した試験結果ファイルから正解率の低い問題を選定するステップと、
前記コンピュータが、前記選定した正解率の低い問題と同じ設問における正解率の高い問題を選定するステップと、
前記コンピュータが、問題カテゴリごとに複数の更新用問題を格納した更新問題ファイルから前記選定した正解率の低い設問と同じカテゴリに属する新たな問題を抽出するステップと、
前記コンピュータが、前記抽出した新たな問題を前記選定した正解率の高い問題に置換して前記試験問題を更新し保存するステップと、を含むことを特徴とする。
【発明の効果】
【００１８】
試験システム用コンピュータに過去の試験について問題ごとの正解・不正解を蓄積しておき、定期的に、正答率の高い問題を選定して正答率の低い問題のカテゴリから新たな問題を抽出して入れ替えることにより、理解不足傾向にある問題カテゴリに焦点を当てた新しい試験問題への更新をタイムリーに行うことができる。また、定期的に正答率の高い問題の抽出・変更を自動的に行うようにしているため、試験問題の気密性を高度に維持することができる。さらに、今まで試験問題の更改に要していた人的工数を大幅に削減することができる。
【００１９】
また、正解・不正解の集計データを作成することにより、指導者・管理者側で受験者の理解不足傾向がある箇所を容易に把握して受験者に対する学習指導を効率的に行うことが可能となり、受験者の学習効果や理解度が向上し、学習意欲の向上が期待される。
【発明を実施するための最良の形態】
【００２０】
本発明を実施するための最良の形態について、図面を参照しながら以下に詳細に説明する。
【００２１】
図１は、本発明に係る試験システムの概略構成を示す図である。試験システム１は、複数の受験者端末１０ａ、１０ｂ、・・・１０ｎとセンタサーバ２０とを備え、各受験者端末１０は通信ネットワーク３０を介してセンタサーバ２０と接続されている。通信ネットワーク３０は、例えば構内ＬＡＮやインターネットである。
【００２２】
受験者端末１０ａ〜１０ｎは受験者が試験問題に回答するためのパーソナルコンピュータ等であり、図２に示すように、少なくとも処理装置１０１と、ファイル装置１０２と、表示画面１０３と、入力装置１０４とを備えている。処理装置１０１は、センタサーバ２０と通信を行って当該受験者端末１０をセンタサーバ２０に登録し試験問題を受信する機能と、表示画面１０３に試験問題を表示して受験者の回答を入力装置１０４を介して受け付ける機能と、この入力回答をセンタサーバ２０に送信する機能を有する。
【００２３】
図３は、センタサーバ２０の構成を示す概略図である。図３に示すように、センタサーバ２０は処理装置２０１と、自動更新プログラム２０２と、試験問題ＤＢ２０３と、更新問題ＤＢ２０４と、試験結果履歴ＤＢ２０５とを備えている。
【００２４】
試験問題ＤＢ２０３は各種の試験問題が格納されたデータベースであり、この試験問題の内容は自動更新プログラム２０２の機能により適宜更新される。図４にこの試験問題ＤＢ２０３の一例を示す。図４に示すように、試験問題ＤＢ２０３では試験問題ごとにコードが付され、更新年月日と、設問および各設問に含まれる問題とその解答が登録されている。本実施例では、各試験問題は３つの設問からなり、各設問がそれぞれ３つの問題を含んでいる。例えば試験問題Ｓ０の場合、設問Ｃ０は３つの問題（Ｑ０００、Ｑ００１、Ｑ００２）を含んでおり、このような設問が３つ（Ｃ０、Ｃ１、Ｃ２）で試験問題を構成している。図５は、試験問題ＤＢ２０３に登録されている試験問題を抽出した例であり、受験者端末１０ａ〜１０ｎにはこのような画面構成となって試験問題が送られる。図５に示すように、３つの大きな概念の設問ごとに細分化された問題が３つずつ設けられている。
【００２５】
図６は、更新問題ＤＢ２０４の内容を示す図である。更新問題ＤＢ２０４は、各種試験問題の更新に用いる新たな問題が登録されたデータベースであり、カテゴリごとに複数の問題が用意されている。図６に示すように、試験問題Ｓ０の設問Ｃ０の問題１について３つの予備の問題が用意されており、同様に各問題につき３つずつ新たな問題が登録されている。各カテゴリに属する問題は各々内容の共通性を有するものとする。更新問題ＤＢ２０４において試験問題を更新するために抽出された問題には使用済みフラグが立てられる。
【００２６】
図７は、試験結果履歴ＤＢ２０５の内容を示す図である。試験結果履歴ＤＢ２０５には過去に行った試験の受験者ごとの試験結果履歴が記録される。本実施例において試験結果履歴ＤＢ２０５は３つのファイルを備えており、図７に示すように、図７（ａ）が受験者ごとの試験解答の正解・不正解を登録する試験結果記録ファイル、図７（ｂ）が各受験者のログインを管理するとともに既に受験した試験を記録しておく受験者管理ファイル、図７（ｃ）が試験問題ごとに全受験者の正解・不正解数が記録される集計ファイルである。
【００２７】
図７（ｂ）に示すように、各受験者のデータは受験者コードで管理されており、例えば受験者「○○○○」には受験者コード「ｘｘｘｘｘｘ」が付与され、既に３つの試験（Ｓ０、Ｓ１、Ｓ２）が受験済みであることが記録されている。各試験の問題ごとの正解・不正解が図７（ａ）に示す試験結果記録ファイルに記録され、例えば上記の受験者コード「ｘｘｘｘｘ」は試験問題Ｓ０について設問１（Ｃ０）は全問正解、設問２（Ｃ１）は問題１を不正解、設問３（Ｃ２）は問題２を不正解という結果が登録されている。
【００２８】
処理装置２０１はセンタサーバ２０の動作を制御する。自動更新プログラム２０２はセンタサーバ２０の記憶領域内（図示せず）に格納されており、処理装置２０１に読み込まれて実行される。センタサーバ２０の動作を図８に示すフローチャートを用いて説明する。
【００２９】
まず、各地に点在する受験者は受験者端末１０を操作してセンタサーバ２０にアクセスし、受験者のログイン要求を行う（ステップＡ１）。ログイン要求は、センタサーバ２０へアクセスすると表示されるログイン画面に受験者の氏名およびパスワードを入力してセンタサーバ２０へ送信することにより行う。センタサーバ２０は、試験結果履歴ＤＢ２０５に格納されている受験者管理ファイル（図７（ｂ））を参照し、受験者の氏名およびパスワードを受信情報と比較して、正しい場合には受験者コードを抽出する（ステップＡ２）。ここで認証情報が一致しない場合は、エラーメッセージを受験者端末１０に返信して処理を終了する。
【００３０】
受験者のログイン処理が完了したら、センタサーバ２０は図４に示す試験問題ＤＢ２０３を参照し、受験者に対応した試験問題を抽出して受験者端末１０に送信する（ステップＡ３）。ここで、受験者に対応した試験問題の決定は、例えばログイン画面にて受験者が希望する試験問題を指定する構成としたり、センタサーバ２０が図７（ｂ）の受験者管理ファイルを参照して未受験の試験問題を自動的に抽出するようにする。また、予めセンタサーバ２０の管理者が各受験者ごとに受験すべき試験の順番を登録したファイルを保存しておき、センタサーバ２０が当該ファイルと受験済み試験のデータと比較して決定するようにしてもよい。上述したように試験問題の配信は、試験問題ＤＢ２０３を参照して該当する試験コードの問題データを抽出して、図５に示すようなフォーマットに挿入してから行われる。
【００３１】
試験問題を受信した受験者端末１０は自身のファイル装置１０２に試験問題を格納し（ステップＡ４）、表示画面１０３に表示する。受験者はこの画面を見て解答を作成し、入力装置１０４から受験者端末１０に入力する。この解答情報がセンタサーバ２０に送信される（ステップＡ５）。
【００３２】
センタサーバ２０は解答を受信するとその正解／不正解を判定し（ステップＡ６）、その結果を当該受験者の正解・不正解履歴情報として試験結果履歴ＤＢ２０５に登録する（ステップＡ７）。試験解答の正解／不正解の判定は、例えば、解答情報に含まれる試験問題コードに基づいて試験問題ＤＢ２０３を参照し、該当する試験問題のレコードに登録されている正解と受信した解答を比較することにより行う。また、履歴情報の登録は、図７（ａ）に示す試験結果記録ファイルに新たなレコードを作成し、受験者コードおよび試験問題コードを登録したうえで各問題につき正解の場合は「○」を、不正解の場合は「×」を記録する。さらに、図７（ｂ）に示す受験者管理ファイルにアクセスして当該受験者の欄に今回受けた試験の問題コードおよび日付を記録する。また、図７（ｃ）に示す集計ファイルにアクセスして、該当する試験問題コードのレコードに当該受験者の正解・不正解の記録を加算する。このようにして、各受験者は受験者ごとに対応する種別の試験問題に対して解答し、その解答結果が試験結果履歴ＤＢ２０５に記録蓄積されていく。
【００３３】
図７に示す試験結果履歴ＤＢ２０５のデータ格納例では、受験者「○○○○」は３種類の試験問題（Ｓ０、Ｓ１、Ｓ２）を受験済みであり、その結果は試験問題Ｓ０において「設問２（Ｃ１）の問題１（Ｑ１００）」と、「設問３（Ｃ２）の問題２（Ｑ２０１）」が不正解となっている。この試験問題Ｓ０は他に「△△△△」、「□□□□」、「○△○△」の３名が受験済みであり、合計４名の受験済み者の不正解結果が図７（ｃ）の集計ファイルにまとめて整理されている。
【００３４】
予め設定された更新条件が満たされると（ステップＡ８）、センタサーバ２０は試験結果履歴ＤＢ２０５に蓄積された試験結果情報に基づいて試験問題の更新を行う。この更新条件はセンタサーバ２０の管理者が予め所定期間を定めて設定してもよいし、例えば１つの試験問題を所定人数が受験したら更新する等の条件を設定してもよい。試験問題の更新処理は例えば以下のようにして行われる。
【００３５】
センタサーバ２０は、図７に示す試験結果履歴ＤＢ２０５を参照して、所定数（例えば２人）以上の受験があった試験問題ごとに、正解率の低い問題群および正解率の高い問題群を選定し（ステップＡ９）、図６に示す更新問題ＤＢ２０４から前記選定した正解率の低い問題群と同じカテゴリに属する問題を抽出して、前記正解率の高い問題と置換して試験問題を更新する（ステップＡ１０）。
【００３６】
図に示す実施例で具体的に説明すると、初期状態の試験問題Ｓ０について、「設問２（Ｃ１）の問題１（Ｑ１００）」と「設問３（Ｃ２）の問題２（Ｑ２０１）」とが正解率の低い問題として選定される。この選定は、例えば図７（ｃ）に示す集計ファイルにおいて設問ごとに受験者総数と不正解数との比が最も高いものを選定するようにする。次に、これらの問題と同じ設問における正解率の高い問題として、「設問２（Ｃ１）の問題３（Ｑ１０２）」と「設問３（Ｃ２）の問題１（Ｑ２００）」とを選定する。この選定は上記と逆に、例えば受験者総数と不正解数との比が最も低いものを選定するようにする。
【００３７】
次に、センタサーバ２０は図６の更新問題ＤＢ２０４を参照して、この試験問題Ｓ０における「設問２（Ｃ１）の問題１」のカテゴリに登録されている新たな問題（Ｑ１１０）と、「設問３（Ｃ２）の問題２」のカテゴリに属する新たな問題（Ｑ２１１）とを抽出する。一度抽出した問題には抽出済みフラグを立てておき、以降に同じ問題が抽出されないようにする。そして、抽出した新たな問題（Ｑ１１０およびＱ２１１）を、前記正解率の高い問題（Ｑ１０２とＱ２００）とそれぞれ入れ替える。その後、試験問題ＤＢ２０３に更新後の試験問題Ｓ０ａとして登録する。この場合、以降の試験では試験問題Ｓ０は用いずに、更新された試験問題Ｓ０ａを用いるようにする。
【００３８】
なお本実施例において、試験問題Ｓ０ａにて同時に「設問１（Ｃ０）の問題１（Ｑ０００）」が更新問題ＤＢ２０４の「設問１（Ｃ０）の問題１（Ｑ０１２）」と置換されている。これは設問１（Ｃ０）の最も正解率の低い問題として問題３（Ｑ００２）が選定されるとともに、最も正解率の高い問題として問題１（Ｑ０００）および問題２（Ｑ００１）のうちの番号の早い方が選定された結果である。
【００３９】
このようにして試験問題Ｓ０を更新してＳ０ａとし（図４参照）、同様に試験問題Ｓ２を更新してＳ２ａとする。なお、図７（ｃ）の集計ファイルから明らかなように試験問題Ｓ１は受験者総数が１人であるため、解答結果情報不足のため更新を行わないで処理を終了する。
【００４０】
センタサーバ２０は、所定期間ごと、あるいはオペレータの要求により、例えば図９に示すような不正解問題分析情報を作成し出力する。これはセンタサーバ２０が図７（ｃ）の集計ファイルの登録情報を編集して作成することができる。なお、図９に示す分析情報では分析結果として問題の内容および必要な知識に関するコメントが表示されているが、これは例えば図４の試験問題ファイルや図５の更新問題ファイルのレコードに予め問題ごとの簡単な内容と必要知識の欄を設けておき、センタサーバ２０が分析情報を作成する際に問題コードに基づいて試験問題ＤＢ２０３等から抽出することで実現することができる。この分析情報を指導官などが参照することにより、受験者の理解不足傾向にある箇所を特定して学習指導を適切に進めることができる。
【００４１】
上記のセンタサーバ２０の動作はすべてセンタサーバ２０の処理装置２０１に読み込み実行される自動更新プログラム２０２に組み込まれていてもよいが、実施例によって、例えば受験者のログイン処理（図８：ステップＡ１〜Ａ２）や試験問題の配信（ステップＡ３）、試験解答の正解／不正解の判定（ステップＡ８）などは自動更新プログラム２０２とは別個独立のプログラムモジュールとして構成しセンタサーバ２０に搭載してもよい。
【００４２】
本発明の実施例について説明したが、本発明の技術的範囲は上記の実施例に限定されるものではなく、他の様々な実施例として構成することができる。例えば、上記実施例はクライアント−サーバ型のＷｅｂ型試験システムとして構成しているが、本発明の特徴は試験問題の更新にあり、本発明の試験システムにおいて受験者の受験方式などは他の例でも構わない。すなわち、単独の受験者がセンタサーバ２０の表示画面と入力手段に対峙して試験を受けるような構成でもよいし、後に試験結果が入力される構成であればセンタサーバ２０は紙媒体で試験問題を出力するようにしてもよい。
【産業上の利用可能性】
【００４３】
従来は、試験の解答結果実績から試験内容の正当性・妥当性の分析や問題内容の見直しを人的に実施せねばならず、膨大な人的工数が必要となっていた。本発明の試験システムではこの問題を改善し、定期的な試験問題の内容の見直しおよび更新をコンピュータで自動化することにより人的工数を大幅に削減することができる。また、試験問題の内容見直しおよび更新において、解答集計結果から判明する正解率の高い問題を、正解率の低い問題領域にある新しい問題へ置換することにより、理解不足傾向にある問題領域に焦点をあてた新しい試験問題への更新をタイムリーに実施することが可能となる。
【００４４】
本発明にかかる試験システムは、特に、多数の人間を対象に定期的に繰り返し行われる評価試験のような試験問題の更新に適しており、複数の試験結果から判明する正答率に基づいて試験問題を目的に応じた難易度に保ちつつ受験者の理解不足傾向に焦点をあてた適切かつ有効な評価試験を継続実施することが可能となる。
【図面の簡単な説明】
【００４５】
【図１】本発明の試験システムの構成を示す概略図である。
【図２】受験者端末１０の構成を示す概略図である。
【図３】センタサーバ２０の構成を示す概略図である。
【図４】試験問題ＤＢ２０３のデータ格納例である。
【図５】受験者端末１０に送信される試験問題の一例である。
【図６】更新問題ＤＢ２０４のデータ格納例である。
【図７】試験結果履歴ＤＢ２０５のデータ格納例である。
【図８】本発明の方法およびプログラムの動作例を示すフローチャートである。
【図９】不正解問題分析情報の一例である。
【符号の説明】
【００４６】
１０    受験者端末
２０    センタサーバ
３０    通信ネットワーク
１０１  処理装置（受講者端末）
１０２  ファイル装置
１０３  表示画面
１０４  入力装置（センタサーバ）
２０１  処理装置
２０２  自動更新プログラム
２０３  試験問題ＤＢ
２０４  更新問題ＤＢ
２０５  試験結果履歴ＤＢ
【図１】
2005221895.tif 000003
【図２】
2005221895.tif 000004
【図３】
2005221895.tif 000005
【図４】
2005221895.tif 000006
【図５】
2005221895.tif 000007
【図６】
2005221895.tif 000008
【図７】
2005221895.tif 000009
【図８】
2005221895.tif 000010
【図９】
2005221895.tif 000011